(57)【特許請求の範囲】
【請求項１】
現金の計数処理を行う現金入金機が接続されたサブターミナルと、これらサブターミナルに接続されて全体の制御を行うメインターミナルとを有し、これらターミナルにて、取引先から入金された現金等を精算処理する精算処理システムであって、
前記サブターミナルまたは前記メインターミナルは、
取引先に関する店番号、科目、口座番号、名義人データ、及び精算結果の出力処理時に、各現金袋毎の個別記帳もしくは全ての現金袋を合算した合算記帳とするかについての記帳方法を、取引先データとして予め記憶するマスターファイルを具備し、
前記メインターミナルは、
精算処理が完了した場合に、マスターファイルに記憶されている取引先毎の記帳方法から取引先の要求する記帳方法が個別記帳であるか合算記帳であるかを確認し該確認結果に基づいて、精算結果の出力処理を行わせる出力処理手段を具備し、
該出力処理手段は、一の取引先口座に対して精算すべき現金袋が複数ある場合に、記帳方法が個別記帳であるときには現金袋毎の個別記帳データを出力処理すると共に、記帳方法が合算記帳であるときにはすべての現金袋を合算した合算記帳データを出力処理することを特徴とする精算処理システム。
【発明の詳細な説明】
【０００１】
【発明の属する技術分野】
本発明は、銀行などの金融機関の夜間金庫に納められた各店舗の現金、又はデパートなどの大型店舗から各売上窓口毎に回収された現金を精算処理する精算処理システムに関する。
【０００２】
【従来の技術】
周知のように各店舗の閉店後、その日の売上は集計された後、必要事項が記載された入金伝票とともに現金袋に入れられ、夜間金庫あるいは現金回収業者等を経由して取引銀行あるいは該取引銀行の精算処理センターに回収されるが、これら取引銀行あるいは該取引銀行の精算処理センターにおいては、特公平２−９３７９号公報に示されるように、回収した現金の精算処理を翌営業日に行うようにしていた。
そして、このような精算処理システムにあっては、収集した多数の現金袋を処理するに際して、一つ一つの現金袋について、まず、硬貨入金機が接続された硬貨精算ターミナルにおいて硬貨の入金処理を行い、その次に、紙幣入金機が接続された紙幣精算ターミナルにおいて紙幣の入金処理を行い、最後に、メインターミナルにおいて、全ての現金袋の精算状況を確認する作業を行う。
また特に、大型店舗の現金を精算処理する際には、各売上窓口毎にまとめられた現金袋について入金処理を行い、かつ各売上窓口毎に現金の精算結果を集計するようにしている。
【０００３】
【発明が解決しようとする課題】
ところで、上記精算処理システムによって得た精算結果は、金融機関から顧客へと通知されるが、このとき、当該精算結果を顧客の口座記録として窓口毎（すなわち、現金袋毎）に記帳（顧客が持つ通帳への記録）したいという顧客と、口座記録としては合算記帳で構わないという顧客とがあり、記帳方法を確認した上で、該顧客の希望に応じた記帳方法に基づき精算結果を出力する必要があって、金融機関側としては精算結果出力時の作業が煩雑となるという問題があった。
この場合、精算結果の出力とは、記帳のためのデータを、オンラインまたはＦＤ（フロッピーディスク）などを介して、上記精算処理システムから、当該金融機関のオンラインシステム上に構築されている顧客データベースのうちの記帳データを記憶する部分に、当該データを転送することを指している。
【０００４】
この発明は上記の事情に鑑みてなされたものであって、顧客の希望に合った記帳方法に基づいて、精算結果のデータ出力を効率良く行うことができる精算処理システムの提供を目的とする。
【０００５】
【課題を解決するための手段】
上記目的を達成するために本発明では、現金の計数処理を行う現金入金機が接続されたサブターミナルと、これらサブターミナルに接続されて全体の制御を行うメインターミナルとを有し、これらターミナルにて、取引先から入金された現金等を精算処理する精算処理システムであって、
前記サブターミナルまたは前記メインターミナルは、
取引先に関する店番号、科目、口座番号、名義人データ、及び精算結果の出力処理時に、各現金袋毎の個別記帳もしくは全ての現金袋を合算した合算記帳とするかについての記帳方法を、取引先データとして予め記憶するマスターファイルを具備し、
前記メインターミナルは、
精算処理が完了した場合に、マスターファイルに記憶されている取引先毎の記帳方法から取引先の要求する記帳方法が個別記帳であるか合算記帳であるかを確認し該確認結果に基づいて、精算結果の出力処理を行わせる出力処理手段を具備し、
該出力処理手段は、一の取引先口座に対して精算すべき現金袋が複数ある場合に、記帳方法が個別記帳であるときには現金袋毎の個別記帳データを出力処理すると共に、記帳方法が合算記帳であるときにはすべての現金袋を合算した合算記帳データを出力処理することを特徴とする。
【０００６】
そして、上記のように構成された発明に基づいて以下に示すような作用が奏される。
本発明の精算処理システムでは、精算処理が完了した場合に、マスターファイルに予め記憶されている記帳方法に基づいて、個別記帳または合算記帳のためのデータ出力を行うことができる。具体的には、大口顧客に対する精算処理の記帳に際しては、顧客の希望に応じて、各現金袋毎、すなわち売上窓口毎の個別記帳を行うことができ、あるいは全ての現金袋を合算した合算記帳を行うことができる。更に、このような記帳は、データ出力時に記帳方法を設定する必要が無く、マスターファイルに既に設定されているデータ内容をチェックするだけで自動的に行えるものであり、従来のように記帳データ出力時における確認処理が煩雑になることが無く、記帳データ出力時における作業性を大幅に向上させることができる。
【０００７】
【発明の実施の形態】
以下、本発明に係わる実施の形態を図１〜図１４に基づいて説明する。
図１は、中規模の精算処理センターに設けられる精算処理システム１００の一般的な構成を示す制御ブロック図であって、この図において符号１で示されるものはメインターミナル、符号２〜７で示されるものは、１台のメインターミナル１に対して接続される６セットのサブターミナルシステムである。
これらサブターミナルシステム２〜７のそれぞれは、サブターミナル８〜１３、プリンター１４〜１９、現金入金機（硬貨入金機２０・２１、紙幣入金機２２〜２５）の各組み合わせによって構成されるものであって、サブターミナルシステム２・３の現金入金機として硬貨入金機２０・２１が接続され、サブターミナルシステム４〜７の現金入金機として紙幣入金機２２〜２５が接続されている。また、メインターミナル１、サブターミナル８〜１３のそれぞれは、制御部及びメモリを内蔵した装置本体部と、該装置本体部に接続された入力部（例えば、キーボード、マウス等によって構成される）、表示部（ＣＲＴ、液晶画面等によって構成される）とによって構成されている。
【０００８】
なお、上記精算処理システム１００では、硬貨入金機２０・２１が接続される硬貨方のサブターミナルシステム２・３が２セット、紙幣入金機２２〜２５が接続される紙幣方のサブターミナルシステム４〜７が４セットされているが、紙幣方のサブターミナルシステム４〜７が多い理由は、硬貨入金機２０・２１の処理スピードが、紙幣入金機２２〜２５の処理スピードよりも早いためであり、具体的には、硬貨は変形等が少なく高速処理が可能であるのに対して、紙幣はその流通期間により紙質が大きく変化し、紙幣入金機２２〜２５にて計数する際にリジェクトが頻繁に発生して高速処理ができず、このために、紙幣方のサブターミナルシステム４〜７をより多く用意している。
また、メインターミナル１にも、サブターミナル８〜１３と同様にプリンター２６が接続されている。なお、サブターミナル８〜１３に接続されるプリンター１４〜１９は、現金処理機２０〜２５にて硬貨又は紙幣の入金処理を行って、計数金額を確認した後に、入金伝票に対する認証印字を行うためのものであって、メインターミナル１に接続されるプリンター２６と比較して簡易な構成のものが採用されている。
【０００９】
次に、図２を参照して、メインターミナル１のメモリ（図示略）に記憶される、取引先である顧客に関するマスターファイルについて説明する。
図２はマスターファイルに設定された取引先口座の一例を示すものであって、一つの取引先に対しては少なくとも一つの取引先データ３０が記憶されている。この取引先データ３０は、店番号３１、科目（普通、当座を示す）３２、口座番号３３、口座名義人３４、記帳方法３６からなり、これら店番号３１、科目３２、口座番号３３によって表される１１桁の取引口座番号によって、一つの取引先口座が特定されるようになっている。また、記帳方法３６としては、図２に示されるように、一つの取引先口座に対して精算すべき現金袋が複数ある場合に、これら現金袋毎（すなわち、枝番号４６ａ毎）に精算結果を記帳する「個別記帳」と、全ての現金袋の精算結果を合算して記帳する「合算記帳」のいずれかが設定できるようになっている。
なお、本実施の形態では、上述したマスターファイルを、メインターミナル１のメモリに記憶するようにしたが、これに限定されず、サブターミナル８〜１３のメモリに記憶し、メインターミナル１からの指示に基づき、メインターミナル１のメモリあるいは他のサブターミナル８〜１３のメモリにデータ転送するようにしても良い。
【００１０】
次に、図３を参照して、精算処理システム１００を利用する場合に使用される入金伝票４０の一例について説明する。
この入金伝票４０は、日付記入欄４１と、店番号記入欄４２と、科目記入欄４３と、口座番号記入欄４４と、口座名義人記入欄４５と、枝番号記入欄４６と、入金額記入欄４７と、からなるものであって、取引先である顧客は、これら日付記入欄４１、店番号記入欄４２、科目記入欄４３、口座番号記入欄４４、口座名義人記入欄４５、枝番号記入欄４６、入金額記入欄４７に対してそれぞれ必要事項を書き込み、その後、当該入金伝票４０を現金とともに現金袋に入れるようにする。
枝番号記入欄４６に記入される枝番号４６ａは、現金袋毎に設定されている固有の番号であって、例えば、スーパーのレジ番号、百貨店などの売上窓口番号などに合わせて設定されている。また、この枝番号４６ａは一取引先内において固有の番号であれば良く、異なる取引先に対しては、重複した番号であっても差し支えない。
【００１１】
次に、上記精算処理システム１００のサブターミナル８〜１３において現金を処理する際の制御内容を示すフローチャートを、図４〜図６を参照して説明する。なお、以下のフローチャートは、サブターミナル８〜１３の制御部において実行するが、これに限定されずに、サブターミナル８〜１３を介してメインターミナル１の制御部において実行しても良い。また、以下のフローチャートは、一つの取引口座番号３５に対して多数の現金袋（硬貨のみの現金袋、紙幣のみの現金袋、硬貨と紙幣とが混合された現金袋（但し計数は別））があることを前提に、ステップが構成されている。また、以下のフローチャートは、サブターミナル８〜１３の入力部に設けられたモード設定手段にて「大袋入金処理モード」を選択した場合に実行される。
【００１２】
《ステップ１（図４においてＳＰ１と示す、以下同様）》
硬貨入金機２０・２１、紙幣入金機２２〜２５（これらをまとめて現金入金機２０〜２５という）の入金口の一つに現金がセットされたか否かを判断し、ＹＥＳの場合に次のステップ２に進む。なお、現金入金機２０〜２５の入金口に対する現金のセットはオペレータの手作業によって行ない、更に、現金入金機２０〜２５に現金がセットされたか否かは、該現金入金機２０〜２５の入金口に設けられている現金検出センサの検出信号に基づき判断する。
【００１３】
《ステップ２》
オペレータから、現金がセットされた現金入金機２０〜２５のサブターミナル８〜１３の入力部を通じて、取引口座を特定するための、店番号３１、科目３２、口座番号３３からなる取引口座番号３５（図９参照）が入力されたか否かを判断し、ＹＥＳの場合に次のステップ３に進む。なお、このステップ２では、サブターミナル８〜１３の表示部に、図８に示すような画面表示を行い、この画面表示の中の取引口座入力欄５１に、オペレータの入力操作により取引口座番号３５を入力させるようにする。
【００１４】
《ステップ３》
オペレータから、現金がセットされた現金入金機２０〜２５のサブターミナル８〜１３の入力部を通じて、枝番号４６ａ（図１０〜図１１、図１３）が入力されたか否かを判断し、ＹＥＳの場合に次のステップ４に進み、また、ＮＯの場合にステップ５に進む。
なお、このステップ３では、サブターミナル８〜１３の表示部に図９に示すような画面表示を行い、この画面表示の中の枝番号入力欄５２に、オペレータの入力操作により、入金伝票４０内に記載された枝番号４６ａを入力させるようにする。また、このステップ３にて枝番号４６ａを入力しない場合には、該枝番号４６ａを入力しない旨の指示を入力部から出力する。
【００１５】
《ステップ４》
ステップ３で入力された枝番号４６ａが、既に使用されて今回の入力によって重複していないか否かを確認するため、ステップ２で入力された取引口座番号３５と当該枝番号４６ａの組み合わせデータに基づいてチェックし、入力された枝番号４６ａを承認できるか否かを自動的に判断し、承認できるＹＥＳの場合に次のステップ６に進み、承認できないＮＯの場合に先のステップ３に戻る。
すなわち、このステップ４では、枝番号４６ａが枝番号入力欄５２に入力された場合に、該枝番号４６ａを、先にメインターミナル１のメモリに記憶されている精算処理データ６５（ステップ２２参照）内の当該取引口座番号３５における入力済みの枝番号４６ａと照合するようにし、一致したものが無いと判断した場合にステップ６に進み、また、枝番号４６ａが重複して使用されていると判断した場合に、重複使用されている旨の画面表示を表示部に対して行い、且つ、ステップ３に戻り、別の枝番号４６ａを枝番号入力欄５２に入力させるようにする。
《ステップ５》
ステップ３にて枝番号４６ａの入力がなかった場合、先にメインターミナル１のメモリに記憶されている精算処理データ６５（ステップ２２参照）内の枝番号４６ａを参照し、未使用の、新たな枝番号４６ａを自動的に採番して、枝番号入力欄５２に書き込む。
この枝番号４６ａとして、例えば多数の３桁の数字を予め記憶させておき、この数字を読み出すことにより枝番号入力欄５２に付すようにしても良く、また、乱数によって３桁の数字を発生させて枝番号入力欄５２に付すようにしても良い。
さらには、１、２、３、・・・・と、１番より自動的に採番するようにしても良い。
【００１６】
《ステップ６》
枝番号４６ａが入力、確認（ステップ３、ステップ４）あるいは自動採番（ステップ３、ステップ５）されると、自動的に、現金がセットされた現金入金機２０〜２５に対して計数開始信号を出力して、セットされた現金の計数処理を行わせる。なお、このステップ６で計数処理を行った後の現金は、現金入金機２０〜２５内に設けられている一時貯留部に一時貯留した後、オペレータからの指示（ステップ１８・ステップ２１参照）に基づき、現金収納部内に入金あるいは返却口に返却する。また、この計数開始信号に基づき、現金入金機２０〜２５にて現金の計数処理が行われている場合には、図１０に示すような「計数処理中」（符号６０で示す）という表示を行う。
【００１７】
《ステップ７》
ステップ６にて現金の計数開始信号が出力されて現金の計数処理が始まるとともに、これと並行して、ステップ２又はステップ９（後述する）で入力した取引口座番号３５が正しいものか否かを判断する。
すなわち、ステップ２又はステップ９にて入力された取引口座番号３５を、メインターミナル１のマスターファイル内に記憶されている取引口座番号と照合し、その照合によって、マスターファイル内に該当する取引口座番号があると判断した場合にはステップ１０に進み、また、マスターファイル内に該当する取引口座番号３５が無いと判断した場合にはステップ８に進む。
【００１８】
《ステップ８》
取引口座番号３５がマスターファイル内に未登録である旨の表示を、該当するサブターミナル８〜１３の表示部に対して行わせる。
《ステップ９》
サブターミナル８〜１３の表示部に再度、図８に示すような画面表示を行なわせ、この画面表示の中の取引口座入力欄５１に、当該サブターミナル８〜１３の入力部を通じてオペレータに取引口座番号３５を再度入力させた後、先のステップ７に戻る。
【００１９】
《ステップ１０》
図１０に示すように、メインターミナル１のマスターファイル内に記憶されている、取引口座番号３５に対応する口座名義人３４を、該当するサブターミナル８〜１３の表示部に表示するとともに、伝票金額表示欄５３、計数金額表示欄５４、過不足金額表示欄５５、紙幣金額表示欄５６、硬貨金額表示欄５７も、当該表示部に表示する。
なお、これら伝票金額表示欄５３、計数金額表示欄５４、過不足金額表示欄５５、紙幣金額表示欄５６、硬貨金額表示欄５７では、特に、入力部にて伝票金額を示すデータ入力が無い場合、あるいは、現金入金機２０〜２５から計数金額値が出力されない場合には、該当する各表示欄に「０」と表示する。また、紙幣金額表示欄５６では、紙幣入金機２２〜２５にて計数された紙幣計数金額を表示し、硬貨金額表示欄５７では、硬貨入金機２０・２１にて計数された硬貨計数金額を表示するとともに、これら紙幣金額表示欄５６、硬貨金額表示欄５７にそれぞれ表示した計数金額の合算値を、計数金額表示欄５４にて表示するようにしている。また、過不足金額表示欄５５には、計数金額表示欄５４に表示された表示金額と、伝票金額表示欄５３に表示された表示金額との差額を、過不足金額として表示する。
【００２０】
《ステップ１１》
サブターミナル８〜１３の入力部を通じて、ステップ１０で表示した口座名義人３４が正しいか否かをオペレータに確認させるようにし、このオペレータの確認に基づき口座名義人３４が正しいと判断された場合にステップ１２に進み、また、口座名義人が誤りであると判断された場合にステップ９に進む。また、このステップ１１で確認された口座名義人３４を示す取引口座番号３５は、後述するステップ２４において、この大袋入金処理の継続が終了されるまで、そのまま記憶保持される。
《ステップ１２》
サブターミナル８〜１３の入力部を通じて、オペレータによって、図１３に示すように、伝票金額表示欄５３中に、入金伝票４０（図３参照）に記入されている入金額記入欄４７の入金額（取引先である顧客によって予め記入される）を入力させるようにし、この入力作業が終了したＹＥＳの場合に次のステップ１３に進む。
なお、ステップ１２での処理は、紙幣方のサブターミナル１０〜１３でのみ実行し、硬貨方のサブターミナル８・９ではステップ１２の処理は省略して、ステップ１１からステップ１３に直接進む。従って、硬貨処理時には、伝票金額入力の画面表示は行われず、図１０及び図１１で示すように、伝票金額表示欄５３の表示金額は「０」のままである。
【００２１】
《ステップ１３》
ステップ６で開始された現金入金機２０〜２５の計数処理が終了し、その計数処理によって得られた現金計数値が、該当するサブターミナル８〜１３の表示部に表示されたか否かを判断する。そして、このような計数値の送信、表示が行われたＹＥＳの場合に次のステップ１４に進む。
ここで、ステップ１３にて行われるサブターミナル８〜１３の表示部での表示例について説明すると、このステップ１３では、図１３に示すように、ステップ１２にて入力された伝票金額値を伝票金額表示欄５３に表示し、ステップ１３で受信された現金計数値を計数金額表示欄５４に表示し、更に、これらの差額を過不足金額として過不足金額表示欄５５に表示する。そして、オペレータは、これらの中で計数金額表示欄５４に表示された金額を参照することにより、これら金額の値が承認できるものか否かを判断する。
【００２２】
《ステップ１４》〜《ステップ１７》
これらステップ１４〜ステップ１７では、計数金額表示欄５４に表示された表示金額と、伝票金額表示欄５３に表示された表示金額とに差額があるか否か、すなわち過不足金額があるか否か判断し、過不足金額がある場合に異算が発生しているとして図１１に示すような表示を行ない、また、過不足金額がない場合に異算の発生が無いとして、図１３に示すような表示を行う。
すなわち、異算が発生した場合には、図１１に符号６１〜６４でそれぞれ示すように、異算状態であることを示す「異算」、この異算状態に伴い訂正処理を行うか否かを問う「１：訂正」、現金の入金処理をキャンセルする「５：回収」、この異算状態のままとりあえず入金処理を終了させるかを問う「９：完了」を表示する。また、異算の発生が無い場合には、図１３に示すように入金処理を終了させるかを問う「９：完了」のみを表示する。
【００２３】
なお、一つの現金袋内に硬貨と紙幣が収納されている場合の処理順序として、サブターミナルシステム２・３のいずれかにおいて硬貨を先に処理し、その後、サブターミナルシステム４〜７のいずれかにおいて紙幣を処理するようにしているが、このとき、硬貨計数処理によって得られた硬貨計数値はメインターミナル１内のメモリに取引口座番号３５とともに一時記憶し（ステップ２２にて記憶し、かつこのステップ２２で待機状態となる）、その後の紙幣入金処理時において、取引口座番号３５を照合するによって、該メモリに一時記憶した該当する硬貨計数値を読み出し、更に、該硬貨計数値と紙幣計数値との合算値、及び合算値と伝票金額との過不足値を計算した後、これら計算結果を図１３で示すように表示するようにしている。
また、現金袋内の現金の処理順序として、上述したように、硬貨を先に処理し、紙幣を後に処理するようにしているので、硬貨入金処理の際には、図１１に示すように紙幣金額表示欄５６に表示される紙幣計数値は「０」であり、従って、硬貨金額表示欄５７に表示される金額と、計数金額表示欄５４に表示される金額とは同じとなる。また、硬貨入金処理の際には、ステップ１２にて伝票金額表示欄５３に伝票金額を入力しないので（ステップ１２参照）、図１１に示すように、その金額は「０」であり、従って、過不足金額表示欄５５に表示される表示金額は、計数金額表示欄５４に表示された計数金額と同じ金額、すなわち、「プラス６７５４円」と表示されることになる。
【００２４】
一方、紙幣入金処理の際は、図１３に示すように、ステップ１２にて伝票金額表示欄５３に伝票金額を入力する必要があるので、過不足金額表示欄５５に表示される表示金額は、計数金額表示欄５４に表示した計数金額から、伝票金額表示欄５３に入力表示されている伝票金額を実際に減算し、これによって例えば「０円」と表示されることになる。
なお、一つの現金袋の中にある硬貨については、複数のサブターミナル８・９のいずれか一つによってのみ計数処理され、同じく、一つの現金袋の中にある紙幣については、複数のサブターミナル１０〜１３のいずれか一つによってのみ計数処理される。
【００２５】
以上のステップ１４〜ステップ１７の処理を図１１、図１３の表示画面を参照して具体的に説明する。
（一）サブターミナル８〜１３の入力部のテンキーを通じて、図１１に符号６２で示す「１：訂正」が選択された場合の処理について（異算発生時にのみ実行）。
「１：訂正」が選択された場合には、表示金額を修正する指示が入力されたと判断して（ステップ１４のＹＥＳ）、ステップ１３からステップ１４のＹＥＳを経てステップ１５に進み、このステップ１５にてサブターミナル８〜１３の入力部を通じて計数金額表示欄５４（紙幣計数金額表示欄５６、硬貨計数金額表示欄５７）内の表示金額を修正する処理を行う。また、このステップ１４にて、符号６２で示す「１：訂正」が選択されない場合には（ステップ１４のＮＯ）、ステップ１３からステップ１４のＮＯを経てステップ１６に進む。
なお、オペレータによって符号６２で示す「１：訂正」が選択される場合とは（ステップ１４のＹＥＳ）、例えば、現金入金機２０〜２５にて入金不可能となってリジェクトされた硬貨、紙幣（すなわち、損券紙幣、判別不能な変形硬貨など）がある場合、現金入金機２０〜２５では処理できない小切手などの金券がある場合などがあり、ステップ１５では、オペレータがこれらリジェクトされた硬貨、紙幣、あるいは金券の金額を確認した上で、その金額をサブターミナル８〜１３の入力部を通じて計数金額表示欄５４の計数金額に加算する。
【００２６】
（二）サブターミナル８〜１３の入力部のテンキーを通じて、図１１、図１３に符号６４で示す「９：完了」が選択された場合の処理について。
「９：完了」が選択された場合には、ステップ１３からステップ１６のＹＥＳに進み、ステップ２１以降において、一時貯留部に一時貯留された現金を収納する処理を行う。なお、異算の発生が無い場合には、図１３に示すように「９：完了」を選択するか否かの表示のみが行われるので、ステップ１６での「９：完了」の選択によって、他のステップを経ずに、ステップ１３からステップ２１へと直接進むことになる。
【００２７】
（三）サブターミナル８〜１３の入力部のテンキーを通じて、図１１に符号６３で示す「５：回収」が選択された場合の処理について（異算発生時にのみ実行）。
「５：回収」が選択された場合には、ステップ１３からステップ１６のＮＯに進んだ後、次のステップ１７において、一時貯留された現金の入金処理をキャンセルするか否かの指示を待つ。
すなわち、サブターミナル８〜１３の入力部を通じて、オペレータから、図示せぬ「再計数」キーが選択されか否かを判断し、「再計数」キーが選択された場合にステップ１８に進み、また、「再計数」キーが選択されない場合に先のステップ１４に戻る。なお、ステップ１４〜ステップ１７において、オペレータにより、「１：訂正」「５：回収」「９：完了」「再計数」のいずれもが選択されない場合には、ステップ１４→ステップ１６→ステップ１７によって形成されるループにて待機状態となる。
【００２８】
《ステップ１８》
現金入金機２０〜２５に対して返却信号を出力して、該現金入金機２０〜２５の一時貯留部内に一時貯留されている現金を返却部に返却する処理を行う。
《ステップ１９》
ステップ１８にて返却された現金が、現金入金機２０〜２５（現金を返却した現金入金機２０〜２５）の入金口に再セットされたか否かを判断し、ＹＥＳの場合に次のステップ２０に進む。なお、このような現金の再セットはオペレータの手作業によって行ない、また、現金の再セットが完了したか否かはステップ６と同様に入金口に設けられている現金検出センサの検出信号に基づき判断する。
《ステップ２０》
現金が再セットされた現金入金機２０〜２５に対して計数開始信号を出力して、セットされた現金の計数処理を行わせ、その後、先のステップ１３に戻る。
【００２９】
《ステップ２１》
現金入金機２０〜２５に対して収納信号を出力して、該現金入金機２０〜２５の一時貯留部内に一時貯留されている現金を収納部に収納する処理を行う。
《ステップ２２》
計数金額表示欄５４に表示された計数金額（符号５４ａで示す／修正した場合は修正した金額）を精算処理データ６５としてメインターミナル１のメモリに記憶する。なお、このときメインターミナル１のメモリには、該精算処理データ６５を、ステップ２・９で入力した取引口座番号３５、及びステップ３・５で入力あるいは採番した枝番号４６ａ毎に記憶させるようにする。
《ステップ２３》
取引銀行あるいは該取引銀行の精算処理センターが取引先から現金を受け取ったことの証として、ステップ２２にてメインターミナル１のメモリに記憶させた精算処理データ６５を、図１２に示すように、当該現金袋に入っていた入金伝票４０の裏面を使って、認証印字し、当該サブターミナル８〜１３における精算結果の印字記録として残すようにする。
【００３０】
《ステップ２４》
同一の取引先についての多数の現金袋の入金処理を継続して行うか、すなわち、大袋入金処理を継続して行うか否かを判断し、ＹＥＳの場合に次のステップ２５に進み、また、ＮＯの場合に本フローチャートを終了する。
《ステップ２５》
現金入金機２０〜２５の入金口の一つに現金がセットされたか否かを判断し、ＹＥＳの場合に次のステップ２６に進む。なお、現金入金機２０〜２５の入金口に対する現金のセットはオペレータの手作業によって行ない、更に、現金入金機２０〜２５に現金がセットされたか否かは現金検出センサの検出信号に基づき判断する。
【００３１】
《ステップ２６》
オペレータから、現金がセットされた現金入金機２０〜２５のサブターミナル８〜１３の入力部を通じて、新たな枝番号４６ａ（図１０、図１１、図１３）が入力されたか否かを判断し、ＹＥＳの場合に次のステップ２７に進み、また、ＮＯの場合にステップ２８に進む。なお、このステップ２６の処理はステップ３と同様、サブターミナル８〜１３の表示部に図９に示すような画面表示を行い、この画面表示の中の枝番号入力欄５２に、オペレータの入力操作により、入金伝票４０内に記載された枝番号４６ａを入力させるようにする。また、このステップ２６にて枝番号４６ａを入力しない場合には、該枝番号４６ａを入力しない旨の指示を入力部から出力する。
【００３２】
《ステップ２７》
ステップ２６で入力された枝番号４６ａが、既に使用されて今回の入力によって重複していないか否かを確認するため、ステップ２またはステップ９で入力された取引口座番号３５と当該枝番号４６ａの組み合わせデータに基づいてチェックし、入力された枝番号４６ａを承認できるか否かを自動的に判断し、承認できるＹＥＳの場合に次のステップ２９に進み、承認できないＮＯの場合に先のステップ２６に戻る。
すなわち、このステップ２７では、枝番号４６ａが枝番号入力欄５２に入力された場合に、該枝番号４６ａを、先にメインターミナル１のメモリに記憶されている精算処理データ６５（ステップ２２参照）内の当該取引口座番号３５における入力済みの枝番号４６ａと照合するようにし、一致したものが無いと判断した場合にステップ２９に進み、また、枝番号４６ａが重複して使用されていると判断した場合に、重複使用されている旨の画面表示を表示部に対して行い、且つ、ステップ２６に戻り、別の枝番号４６ａを枝番号入力欄５２に入力させるようにする。
《ステップ２８》
ステップ２６にて枝番号４６ａの入力がなかった場合、先にメインターミナル１のメモリに記憶されている精算処理データ６５（ステップ２２参照）内の枝番号４６ａを参照し、未使用の、新たな枝番号４６ａを自動的に採番して、枝番号入力欄５２に書き込む。
なお、採番方法については、前記ステップ５と同様な処理内容によって行われる。
《ステップ２９》
枝番号４６ａが入力確認あるいは自動採番されると、自動的に、現金がセットされた現金入金機２０〜２５に対して計数開始信号を出力して、セットされた現金の計数処理を行わせ、その後、先のステップ１２に戻る。この計数開始信号に基づき、現金入金機２０〜２５にて現金の計数処理が行われている場合には、図１０に示すような「計数処理中」（符号６０で示す）という表示を行う。
【００３３】
次に、図４〜図６のフローチャートにて精算処理された精算結果を出力する際の処理について、図７のフローチャート（特許請求の範囲に示す出力処理手段に相当する）を参照して説明する。
なお、図７のフローチャートは、メインターミナル１の入力部から、精算結果を出力する旨の指示が入力されたことを条件として、メインターミナル１の制御部において、ステップ３０からの処理が開始される。
また、先に説明したように、精算結果の出力方法としては、オンラインで出力する方法とＦＤ（フロッピーディスク）へ出力する方法などがあるが、以下のフローチャートにおいては、精算結果をＦＤ（フロッピーディスク）へ出力する場合について説明する。
《ステップ３０》
ステップ２２で記憶した精算処理データ６５を、店番号３１、科目３２、口座番号３３、枝番号４６ａに従って並べ替える並べ替え処理（ソート処理）が行われる。
図１４は、この出力処理手段によって出力処理される精算結果（精算出力データ）を印字した場合の印字イメージを示すもので、この図１４からも明らかなように、このステップ３０では、店番号３１、科目３２、口座番号３３、枝番号４６ａの順番で、且つそれぞれの数字の小さいものが優先するように、精算処理データ６５が並べ替えられる。
また、このステップ３０において並べ替えられた後の精算処理データ６５は、再度メモリ内に記憶される。
《ステップ３１》
メインターミナル１のメモリ内に再記憶された並べ替え処理後の精算処理データ６５が自動的に１件分読み出される。
【００３４】
《ステップ３２》
ステップ３１の読み出し処理によって、すべての精算処理データ６５が読み出されたか否かを判断し、精算処理データ６５がすべて読み出された場合（ＹＥＳの場合）に、精算処理データ６５の出力処理終了を示す旨の表示を表示部に行わせた後、本フローチャートを終了し、また、精算処理データ６５が残っている場合（ＮＯの場合）に、次のステップ３３に進む。
そして、本フローチャートを終了した場合には、精算結果はＦＤ（フロッピーディスク）に記憶されることになるので、さらにこのＦＤ（フロッピーディスク）を他の端末装置を介して、当該金融機関のオンラインシステム上に構築された顧客データベースのうちの記帳データを記憶する部分に、当該データを転送して、精算結果の出力処理が完了するものである。
なお、顧客の持つ通帳への記帳処理は、顧客が当該金融機関に出向き、通帳記帳機などに通帳を挿入するなどした場合に、当該記帳データに基づいて記帳がなされるものである。
《ステップ３３》
ステップ３１で読み出された１件の精算処理データ６５の中の１１桁の取引口座番号３５に基づき、マスターファイル（図２参照）を検索し、当該取引口座番号３５に対応する顧客の要求する記帳方法３６が個別記帳であるか合算記帳であるかが自動的に確認される。
そして、顧客の要求する記帳方法３６が個別記帳であるときにはステップ３４に進み、また、合算記帳であるときにはステップ３５に進む。
【００３５】
《ステップ３４》
記帳方法３６として個別記帳が指示されていた場合、ステップで読み出された１件毎の精算処理データ６５がＦＤ（フロッピーディスク）に出力される。
この場合、先に説明したように、この出力データに基づいて後に顧客の通帳への印字が行われるため、記帳データとして、少なくとも、取引口座番号３５、枝番号４６ａ、入金データとしての計数金額５４ａが出力される。
そして、取引口座番号３５は、顧客の通帳への記帳の際の顧客特定用のデータであり、計数金額５４ａは入金データであり、枝番号４６ａは当該入金データを印字した余白に印字可能な記事データとして扱われるものであり、顧客にとっては、例えばレジ番号が示されることになる。
ここで、個別記帳の例について説明すると、図１４の連番３７の「０００１」〜「００２０」で示されるものは、個別記帳を指示していた、取引口座番号３５として（１２３-１-１２３４５６７）を持つ顧客の計２０件の精算処理データ６５であって、ＦＤ（フロッピーディスク）への出力に際しては、計２０件の取引口座番号３５、枝番号４６ａ（枝番１０１・１０２・１０３・・・）、入金データとしての計数金額５４ａが出力されることになる。
なお、この図１４は、先に説明したように、この出力処理手段によって出力処理される精算結果（精算出力データ）を印字した場合の印字イメージを示すもので、ＦＤ（フロッピーディスク）への出力と同時に、出力内容の確認を取るために印字する場合には、この図１４のように、口座名義人３４も印字されることになる。
【００３６】
《ステップ３５》
他方、記帳方法３６として合算記帳が指示されていた場合、ステップ３１で読み出された１件の精算処理データ６５の中の１１桁の取引口座番号３５に基づき、さらに、この取引口座番号３５に一致する他のすべての精算処理データ６５をメモリから読み出す。
《ステップ３６》
ステップ３５で読み出した、同一の取引口座番号３５を有する精算処理データ６５が複数ある場合、すべての精算処理データ６５の件数を計数するとともに、計数金額５４ａを合算する。
《ステップ３７》
ステップ３５〜３６において読み出し、合算した精算処理データ６５がＦＤ（フロッピーディスク）に出力される。
この場合も、個別記帳の場合と同様に、この出力データに基づいて後に顧客の通帳への印字が行われるため、記帳データとして、少なくとも、取引口座番号３５、合算件数４６ｂ（図１４参照）、入金データとしての計数金額５４ａが出力される。
このとき、合算件数４６ｂは当該入金データを印字した余白に印字可能な記事データとして扱われるものであり、顧客にとっては、例えばレジの数が示されていることになり、また、合算であることが分かるように、「件」という文字データも出力可能になっている。
ここで、合算記帳の例について説明すると、図１４の連番３７の「００２１」〜「００２３」で示されるものは、それぞれ、合算記帳を指示していた、取引口座番号３５として（１２３-１-１３４４４８２）を持つ顧客の５件分の合算した精算処理データ６５、取引口座番号３５として「１２３−１−１３４５５９９」を持つ顧客の３件分の合算した精算処理データ６５、及び取引口座番号３５として「１２３−１−１３８７０２３」を持つ１件分の、この場合は合算とは言えないが、精算処理データ６５である。
なお、この図１４は、先に説明したように、この出力処理手段によって出力処理される精算結果（精算出力データ）を印字した場合の印字イメージを示すもので、ＦＤ（フロッピーディスク）への出力と同時に、出力内容の確認を取るために印字する場合には、口座名義人３４も印字されている。
【００３７】
以上詳細に説明したように本実施の形態に示す精算処理システム１００では、精算処理が完了した場合に、マスターファイル（図２参照）に予め記憶されている記帳方法３６に基づいて、個別記帳または合算記帳による出力処理を行うことができる（ステップ３０〜ステップ３７参照）。具体的には、大口顧客に対する精算処理の出力処理に際しては、顧客の希望に応じて、各現金袋毎すなわち売上窓口毎の個別記帳データの出力、あるいは全ての現金袋を合算した合算記帳データの出力を行うことができる。更に、このような記帳データの出力は、データ出力時に記帳方法３６を逐一設定する必要が無く、マスターファイルに既に設定されているデータ内容をチェックするだけで自動的に行えるものであり（ステップ３３参照）、従来のように記帳データ出力時における処理が煩雑となることが無く、記帳データ出力時における作業性を大幅に向上させることが可能となる。
また、記帳データの出力を、ＦＤ（フロッピーディスク）に出力した後、さらに別の端末機により、当該金融機関のオンラインシステム上に構築されている顧客データベースのうちの記帳データを記憶する部分に、当該データを転送するように説明したが、これに限らず、本精算処理システム１００が既にオンラインによって当該金融機関のオンラインシステムと接続されている場合には、ＦＤ（フロッピーディスク）を介さず、直接、当該金融機関のオンラインシステム上に構築されている顧客データベースのうちの記帳データを記憶する部分に、当該データを転送するようにしても良い。
【００３８】
なお、上記実施の形態では、サブターミナル８〜１３のそれぞれに硬貨入金機２０・２１又は紙幣入金機２２〜２５を接続するようにしたが、このような硬貨入金機２０・２１、紙幣入金機２２〜２５に代えて、硬貨及び紙幣の両方を入金可能な貨幣入金機を接続しても良い。また、一台のサブターミナル８〜１３に接続する硬貨入金機２０・２１、紙幣入金機２２〜２５は一台に限定されず、複数台の硬貨入金機２０・２１、紙幣入金機２２〜２５を接続しても良い。
【００３９】
【発明の効果】
以上詳細に説明したように本発明の精算処理システムでは、精算処理が完了した場合に、マスターファイルに予め記憶されている記帳方法に基づいて、個別記帳または合算記帳のためのデータ出力処理を行うことができる。具体的には、大口顧客に対する精算処理の記帳に際しては、顧客の希望に応じて、各現金袋毎、すなわち売上窓口毎の個別記帳データの出力を行うことができ、あるいは全ての現金袋を合算した合算記帳データの出力を行うことができる。更に、このような記帳データ出力は、データ出力時に記帳方法を設定する必要が無く、マスターファイルに既に設定されているデータ内容をチェックするだけで自動的に行えるものであり、従来のように記帳データ出力時における処理が煩雑となることが無く、記帳データ出力時における作業性を大幅に向上させることが可能となる。
【図面の簡単な説明】
【図１】精算処理システムの全体構成を示す機能ブロック図。
【図２】メインターミナル１に記憶されるマスターファイルを具体的に示す図。
【図３】入金伝票５０を具体的に示す図。
【図４】現金袋内の現金を精算処理するためのフローチャート１。
【図５】現金袋内の現金を精算処理するためのフローチャート２。
【図６】現金袋内の現金を精算処理するためのフローチャート３。
【図７】図４〜図６にて精算処理された結果を出力印字するためのフローチャート。
【図８】取引口座番号３５を入力するための画面表示図。
【図９】枝番号４６ａを入力するための画面表示図。
【図１０】計数処理中であることを示す画面表示図。
【図１１】計数処理が終了しかつ伝票金額と計数金額とに過不足がある場合の画面表示図。
【図１２】精算処理データ６５を認証印字した例。
【図１３】計数処理が終了しかつ伝票金額と計数金額とに過不足が無い場合の画面表示図。
【図１４】精算処理データ６５を認証印字した例。
【符号の説明】
１  メインターミナル
２〜７  サブターミナルシステム
８〜１３  サブターミナル
１４〜１９  プリンター
２０・２１  硬貨入金機（現金入金機）
２２〜２５  紙幣入金機（現金入金機）
２６  プリンター
３０  取引先データ
３１  店番号
３２  科目
３３  口座番号
３４  口座名義人
３５  取引口座番号
３６  記帳方法
４０  入金伝票
４６  枝番号記入欄
４６ａ  枝番号
４７  入金額記入欄
５２  枝番号入力欄
６５  精算処理データ
１００  精算処理システム
【図１】
0003652428.tif 000002
【図２】
0003652428.tif 000003
【図３】
0003652428.tif 000004
【図４】
0003652428.tif 000005
【図５】
0003652428.tif 000006
【図６】
0003652428.tif 000007
【図７】
0003652428.tif 000008
【図８】
0003652428.tif 000009
【図９】
0003652428.tif 000010
【図１０】
0003652428.tif 000011
【図１１】
0003652428.tif 000012
【図１２】
0003652428.tif 000013
【図１３】
0003652428.tif 000014
【図１４】
0003652428.tif 000015